(57)【特許請求の範囲】
【請求項１】
平面視において矩形状をなしその各辺に位置する第１壁、第２壁、第３壁および第４壁と、天井を構成する第５壁と、からなる５つの壁を有するハウスと、
前記第１壁、前記第２壁、前記第３壁、前記第４壁および前記第５壁にそれぞれ形成される第１窓、第２窓、第３窓、第４窓および第５窓からなる５つの窓と、
前記第１窓、前記第２窓、前記第３窓、前記第４窓および前記第５窓をそれぞれ開閉する第１扉、第２扉、第３扉、第４扉および第５扉からなる５つの扉と、
前記５つの扉を駆動して前記５つの窓の開閉を行う窓開閉装置と、
前記窓開閉装置を制御する制御装置と、
前記ハウスの周囲の風向を検知する風向検知器と、を備え、
前記制御装置は、前記風向検知器で検知された風向を基に前記５つの壁のうちの隣接する２つの前記壁に形成された２つの前記窓を開き、残りの３つの前記壁に形成された３つの前記窓を閉じる通気制御が可能であることを特徴とする農業用ハウス。
【請求項２】
平面視において正方形状をなしその各辺に前記第１壁、前記第２壁、前記第３壁および前記第４壁が位置することを特徴とする請求項１記載の農業用ハウス。
【請求項３】
前記制御装置は、前記風向検知器で検知された風向を基に前記第５壁および残りの４つの前記壁のうちの１つの前記壁に形成された２つの前記窓を開く前記通気制御が可能であることを特徴とする請求項１または２記載の農業用ハウス。
【発明の詳細な説明】
【技術分野】
【０００１】
本発明は、農業用ハウスに関する。
【背景技術】
【０００２】
特許文献１は、農業用ハウスを開示する。特許文献１に開示された農業用ハウスは、換気を行うものである。
【先行技術文献】
【特許文献】
【０００３】
【特許文献１】特開昭６１−２７１９２８
【発明の概要】
【発明が解決しようとする課題】
【０００４】
特許文献１に示す農業用ハウスは、風に応じた通気制御を行うものではなかった。
【０００５】
本発明が解決しようとする課題は、風に応じた通気制御を行う農業用ハウスを得ることである。
【課題を解決するための手段】
【０００６】
本発明に係る形態の農業用ハウスは、平面視において矩形状をなしその各辺に位置する第１壁、第２壁、第３壁および第４壁と、天井を構成する第５壁と、からなる５つの壁を有するハウスと、前記第１壁、前記第２壁、前記第３壁、前記第４壁および前記第５壁にそれぞれ形成される第１窓、第２窓、第３窓、第４窓および第５窓からなる５つの窓と、前記第１窓、前記第２窓、前記第３窓、前記第４窓および前記第５窓をそれぞれ開閉する第１扉、第２扉、第３扉、第４扉および第５扉からなる５つの扉と、前記５つの扉を駆動して前記５つの窓の開閉を行う窓開閉装置と、前記窓開閉装置を制御する制御装置と、前記ハウスの周囲の風向を検知する風向検知器と、を備え、前記制御装置は、前記風向検知器で検知された風向を基に前記５つの壁のうちの隣接する２つの前記壁に形成された２つの前記窓を開き、残りの３つの前記壁に形成された３つの前記窓を閉じる通気制御が可能であることを特徴とする。
【発明の効果】
【０００７】
本発明に係る形態の農業用ハウスは、風に応じた通気制御を行うことができる。
【図面の簡単な説明】
【０００８】
【図１】図１は第一実施形態の農業用ハウスの斜視図である。
【図２】図２は第一実施形態の農業用ハウスの平面図である。
【図３】図３は第一実施形態の農業用ハウスの制御系統を説明するブロック図である。
【図４】図４Ａは従来の農業用ハウスの気流を説明する平面図であり、図４Ｂは第一実施形態の農業用ハウスの気流を説明する平面図である。
【図５】図５は第二実施形態の農業用ハウスの平面図である。
【図６】図６は第二実施形態の農業用ハウスの制御系統を説明するブロック図である。
【図７】図７は第三実施形態の農業用ハウスの平面図である。
【発明を実施するための形態】
【０００９】
本発明は農業用ハウスに関し、詳しくは、壁に形成された窓を開閉して通気を制御する農業用ハウスに関する。
【００１０】
第一実施形態の農業用ハウス１について、図１〜図５に基いて説明する。
【００１１】
農業用ハウス１は、内部に外気と区画された空間２０を有するハウス２を備える。
【００１２】
ハウス２は、図１に示すように、平面視において矩形状をなし、その各辺に位置する第１壁３１、第２壁３２、第３壁３３および第４壁３４と、天井を構成する第５壁３５を有する。すなわち、ハウス２は、第１壁３１〜第５壁３５の計５つの壁３を有する。この５つの壁３および地面により囲まれる内部空間２０が、主に栽培空間または育成空間として利用される。
【００１３】
第一実施形態では、ハウス２は、図２に示すように、平面視において正方形状をなし、各辺の外向き法線がそれぞれ東西南北を向くように配置されている。なお、図１、図２、図４、図５中において、矢印Ｓは南を、矢印Ｗは西を、矢印Ｎは北を、矢印Ｅは東を示す。平面視において外向き法線が南Ｓ、西Ｗ、北Ｎ、東Ｅを向く辺に位置する壁３が、それぞれ第１壁３１、第２壁３２、第３壁３３、第４壁３４となっている。
【００１４】
第一実施形態では、図１に示すように、第１壁３１および第３壁３３は、左右両側の側辺および下辺が直線状となり、上辺がアーチ状となる同形状をしている。第２壁３２および第４壁３４は、矩形状をしている。第１壁３１〜第４壁３４の各側辺の上下長さは全て同じ長さに形成されている。天井を構成する第５壁３５は、各辺がそれぞれ第１壁３１〜第４壁３４の上辺に一致するように設けられる。
【００１５】
第１壁３１、第２壁３２、第３壁３３、第４壁３４および第５壁３５には、それぞれ第１窓４１、第２窓４２、第３窓４３、第４窓４４および第５窓４５が形成される。すなわち、ハウス２は、第１窓４１〜第５窓４５の計５つの窓４を備える。
【００１６】
第一実施形態では、図１に示すように、第１窓４１〜第４窓４４は、上辺および下辺が水平となる矩形状をしている。第１窓４１〜第４窓４４は、各壁３において、左右方向については中央部に、上下方向については中央よりも上寄りの箇所に設けられている。第５窓４５は、図１、図２に示すように、平面視において、各辺の外向き法線がそれぞれ東西南北を向く矩形状をなし、第５壁３５の中央部に設けられている。
【００１７】
ハウス２には、図１に示すように、第１窓４１、第２窓４２、第３窓４３、第４窓４４および第５窓４５をそれぞれ開閉する第１扉５１、第２扉５２、第３扉５３、第４扉５４および第５扉５５が設けられる。すなわち、ハウス２は、第１扉５１〜第５扉５５の計５つの扉５を有する。扉５は、対応する窓４よりも大きく形成される。扉５は、その一辺（第１扉５１〜第４扉５４にあっては上辺）に設けられた回転中心軸５６が壁３に回転可能に支持されて、前記一辺に対向する辺が回転する、開き戸のような構成となっている。
【００１８】
農業用ハウス１は、さらに、窓４の開閉を行う窓開閉装置６を備える。図１に示すように、窓開閉装置６は、５つの扉５を駆動して、各扉５に対応する５つの窓４の開閉をそれぞれ行うものである。第一実施形態では、窓開閉装置６は、モータ等からなる駆動源と、駆動源で発生した動力を扉５の回転中心軸５６に伝達する歯車等からなる動力伝達機構と、を備える。この窓開閉装置６により扉５を駆動して、ハウス２を、窓４を開いた状態にしたり、窓４を閉じた状態にすることが可能である。各窓４は、他の窓４の開閉状態と関係なく独立して任意に開閉可能である。すなわち、農業用ハウス１は、第１窓４１〜第５窓４５にそれぞれ対応する窓開閉装置６１、６２、６３、６４、６５を備えている。
【００１９】
農業用ハウス１は、さらに、窓開閉装置６を制御する制御装置７を備える。図１に示すように、制御装置７は、マイクロコンピュータを備えている。マイクロコンピュータは、図３に示すように、ＣＰＵ(Central Processing Unit)７１および記憶装置７２等を備え、記憶装置７２に格納されたプログラムをＣＰＵ７１が実行することにより制御を行うもので、様々な公知のものが適宜利用可能である。
【００２０】
農業用ハウス１は、図２に示すように、さらに、ハウス２の周囲の風向を検知する風向検知器８１を備える。風向検知器８１としては、様々な公知の風向風速センサ等が適宜利用可能である。風向検知器８１で検知した風向情報は、制御装置７が取得して処理を行うことが可能である。これにあたり、風向検知器８１または制御装置７は、増幅器、Ａ／Ｄ（Analog/Digital）変換器等の必要な機器を補助的に備えることが可能である。
【００２１】
制御装置７は、通気制御が可能となるように構成されるものである。通気制御とは、制御装置７が、風向検知器８１で検知された風向を基に、隣接する２つの壁３に形成された２つの窓４を開き、残りの３つの壁３に形成された３つの窓４を閉じる制御である。
【００２２】
具体的には、隣接する２つの壁３に形成された２つの窓４の組合わせとしては、第１窓４１および第２窓４２、第２窓４２および第３窓４３、第３窓４３および第４窓４４、第４窓４４および第１窓４１、第１窓４１および第５窓４５、第２窓４２および第５窓４５、第３窓４３および第５窓４５、第４窓４４および第５窓４５、の各組合せが挙げられる。
【００２３】
ここで、隣接する２つの壁３に形成された２つの窓４を開く技術的意義について説明する。通常は、図４Ａに示すように、ハウス２の内部、特に中央部の広範囲にわたって、栽培物、育成物等の物体９０が位置している。このため、南風が吹いていて、第１窓４１および第３窓４３を開き、他の窓４を閉じた場合、第１窓４１より流入する気流（矢印９１参照）は、物体９０により進路が曲げられて第２壁３２または第４壁３４に近接する気流（矢印９２参照）となる。その後、気流（矢印９２参照）はさらに進路が曲がって第３窓４３に向かう気流（矢印９３参照）となり、第３窓４３より流出する気流（矢印９４参照）となる。
【００２４】
これに対して、図４Ｂに示すように、南風が吹いていて、第１窓４１および第２窓４２を開いて他の窓を閉じた場合、第１窓４１より流入する気流（矢印９５参照）は、物体９０により進路が曲げられて第２壁３２に近接する気流（矢印９６参照）となる。しかし、気流（矢印９６参照）はそのまま第２窓４２より流出する気流（矢印９７参照）となり、ハウス２の内部を気流がスムーズに流れる。この場合の第１窓４１から第２窓４２までの流路抵抗は、図４Ａに示す場合の第１窓４１から第３窓４３までの流路抵抗よりも小さい。
【００２５】
また、南風が吹いている場合、風向に対して直交する法線を有する第２壁３２、第４壁３４および第５壁３５の外面には、大気圧より低い負圧がかかりやすい。このため、第２壁３２、第４壁３４および第５壁３５に形成された第２窓４２、第４窓４４および第５窓４５のいずれかの窓４が開いていると、開いている窓４が気流の流出口として機能しやすくなる。そして、隣接する２つの壁３に形成された２つの窓４が開かれる場合には、第２壁３２、第４壁３４および第５壁３５のうちの１つの窓４が必ず開かれることになり、これらのうちの開かれた窓４が気流の流出口としての機能を発揮しやすくなる。
【００２６】
なお、窓４を３つ以上開くと、気流がスムーズな流れとならず、流路抵抗が図４Ｂに示す場合の第１窓４１から第２窓４２までの流路抵抗よりも大きくなりやすくなる。
【００２７】
さらに、開かれる残り１つの窓４は、気流の流入口として機能しやすければよい。このため第一実施形態の通気制御では、南風が吹いている場合には、開かれる残り１つの窓４は、負圧がかかりにくい第１壁３１または第３壁３５に形成される第１窓４１または第３窓４３とする。
【００２８】
まとめると、第一実施形態の通気制御では、南風が吹いている場合には、第１窓４１または第３窓４３のいずれか１つの窓４と、第２窓４２、第４窓４４および第５窓４５のいずれか１つの窓４と、が開かれる。同様に、西風が吹いている場合には、第２窓４２または第４窓４４のいずれか１つの窓４と、第３窓４３、第１窓４１および第５窓４５のいずれか１つの窓４と、が開かれる。北風が吹いている場合には、第１窓４１または第３窓４３のいずれか１つの窓４と、第２窓４２、第４窓４４および第５窓４５のいずれか１つの窓４と、が開かれる。東風が吹いている場合には、第２窓４２または第４窓４４のいずれか１つの窓４と、第３窓４３、第１窓４１および第５窓４５のいずれか１つの窓４と、が開かれる。上記のように、南風、西風、北風、東風のいずれの場合でも、第５窓４５が流出口として機能する窓４になりやすい。このため、通気制御で、流出口として第５壁３５を開き、残りの４つの壁３のうちの１つの壁３に形成された窓４を開き、残りの窓４と閉じるようにすることが有効である。
【００２９】
なお、第一実施形態では、ハウス２が平面視において正方形状をなしているため、風向の方向性による偏りが小さくですむ。すなわち、ハウス２が平面視において長方形状をなしている場合、南風または北風の場合と、東風または西風の場合とでは、ハウス２の内部の気流が異なる。これに対し、ハウス２が平面視において正方形状をなしている場合、南風、北風、東風および西風による違いがない。
【００３０】
また、上記以外の場合の通気制御では、風が吹く方向（上流側の方向）と、いずれかの窓４が向く方向（すなわち当該窓４が設けられる壁３の外向き法線の向く方向）と、がなす角が一番小さくなる窓４を、流入口として機能する窓４とする。前記なす角が一番小さくなる窓４が複数ある場合には、そのうちの任意の窓４を流入口として機能する窓４とする。さらに、この窓４が設けられる壁３に隣接する１つの壁３に形成された窓４を、流出口として機能する窓４とする。
【００３１】
上述したように、隣接する２つの壁３に形成された２つの窓４を開き、残りの３つの壁３に形成された３つの窓４を閉じることにより、気流が流入する窓４から気流が流出する窓４までの流路抵抗が小さくなり、通気量を大きくとりやすくなる。これにより、農産物をはじめとする植物の栽培、育成を効果的に行いやすくなる。
【００３２】
第二実施形態について、図５、図６に基いて説明する。なお、第二実施形態は、第一実施形態と大部分において同じであるため、同じ部分については同符号を付して説明を省略し、主に異なる部分について説明する。
【００３３】
第二実施形態の農業用ハウス１は、図５、図６に示すように、ハウス２の周囲の風向を検知する風速検知器８２を備えている。風速検知器８２で検知した風速情報は、制御装置７が取得して処理を行うことが可能である。これにあたり、風速検知器８２が増幅器、Ａ／Ｄ変換器等の必要な機器を補助的に備えてもよい。
【００３４】
通気制御では、風向情報だけでなく風速検知器８２で検知した風速情報をさらに加味して、５つの窓４の開閉をいかに行うかを決定する。例えば、風速がある特定の値以上の場合には、風が吹く方向（上流側の方向）と、いずれかの窓４が向く方向（すなわち当該窓４が設けられる壁３の外向き法線の向く方向）と、がなす角が一番小さくなる窓４を閉じる。そして、この窓４と反対側の壁３にある窓４を流入口として開くことにより、通気量が過度に大きくならないようにしやすくなる。
【００３５】
このように、農業用ハウス１が風速検知器８２を備えることにより、風向検知器８１のみを備える場合と比べて、より多様な制御を行うことが可能となる。
【００３６】
また、農業用ハウス１は、図５、図６に示すように、ハウス２の周囲の風向を検知する外気温度計８３を備えている。外気温度計８３で検知した風速情報は、制御装置７が取得して処理を行うことが可能である。これにあたり、外気温度計８３が増幅器、Ａ／Ｄ変換器等の必要な機器を補助的に備えてもよい。
【００３７】
通気制御では、風向情報だけでなく外気温度計８３で検知した外気温度情報をさらに加味して、５つの窓４の開閉をいかに行うかを決定する。このように、農業用ハウス１が外気温度計８３を備えることにより、風向検知器８１のみを備える場合と比べて、より多様な制御を行うことが可能となる。
【００３８】
また、農業用ハウス１は、図５、図６に示すように、ハウス２の周囲の風向を検知する外気湿度計８４を備えている。外気湿度計８４で検知した外気湿度情報は、制御装置７が取得して処理を行うことが可能である。これにあたり、外気湿度計８４が増幅器、Ａ／Ｄ変換器等の必要な機器を補助的に備えてもよい。
【００３９】
通気制御では、風向情報だけでなく外気湿度計８４で検知した外気湿度情報をさらに加味して、５つの窓４の開閉をいかに行うかを決定する。このように、農業用ハウス１が外気湿度計８４を備えることにより、風向検知器８１のみを備える場合と比べて、より多様な制御を行うことが可能となる。
【００４０】
また、農業用ハウス１は、図５、図６に示すように、ハウス２の周囲の風向を検知するハウス内温度計８５を備えている。ハウス内温度計８５で検知したハウス内温度情報は、制御装置７が取得して処理を行うことが可能である。これにあたり、ハウス内温度計８５が増幅器、Ａ／Ｄ変換器等の必要な機器を補助的に備えてもよい。
【００４１】
通気制御では、風向情報だけでなくハウス内温度計８５で検知したハウス内温度情報をさらに加味して、５つの窓４の開閉をいかに行うかを決定する。このように、農業用ハウス１がハウス内温度計８５を備えることにより、風向検知器８１のみを備える場合と比べて、より多様な制御を行うことが可能となる。
【００４２】
また、農業用ハウス１は、図５、図６に示すように、ハウス２の周囲の風向を検知するハウス内湿度計８６を備えている。ハウス内湿度計８６で検知したハウス内湿度情報は、制御装置７が取得して処理を行うことが可能である。これにあたり、ハウス内湿度計８６が増幅器、Ａ／Ｄ変換器等の必要な機器を補助的に備えてもよい。
【００４３】
通気制御では、風向情報だけでなくハウス内湿度計８６で検知したハウス内湿度情報をさらに加味して、５つの窓４の開閉をいかに行うかを決定する。このように、農業用ハウス１がハウス内湿度計８６を備えることにより、風向検知器８１のみを備える場合と比べて、より多様な制御を行うことが可能となる。
【００４４】
なお、風速検知器８２、外気温度計８３、外気湿度計８４、ハウス内温度計８５およびハウス内湿度計８６は、任意の組み合わせで、風向検知器８１とともに用いられて（設けられて）、通気制御が行われてもよい。
【００４５】
（実施例１）風向が東（風上が東）、風速が２．０ｍ／ｓ、ハウス内温度が３０℃、ハウス内湿度（相対湿度）が７０％、外気温度が２５℃、外気湿度（相対湿度）が５０％、のとき、第４窓４４および第５窓４５を開く。
【００４６】
（実施例２）風向が南（風上が南）、風速が３．０ｍ／ｓ、ハウス内温度が３５℃、ハウス内湿度（相対湿度）が６０％、外気温度が３０℃、外気湿度（相対湿度）が４０％、のとき、第１窓４１および第５窓４５を開く。
【００４７】
第三実施形態について、図７に基いて説明する。なお、第三実施形態は、第二実施形態と大部分において同じであるため、同じ部分については同符号を付して説明を省略し、主に異なる部分について説明する。
【００４８】
第三実施形態の農業用ハウス１は、図７に示すように、図５、図６に示す第二実施形態の農業用ハウス１を複数個並設したものである。
【００４９】
近接した二つの農業用ハウス１の間には風が流れにくく、農業用ハウス１に近接する側の壁３に設けられる窓４が開いても、ハウス２内の通気量が確保されにくい。
【００５０】
そこで、第三実施形態では、別の農業用ハウス１に近接する側の壁３に設けられる窓４を開かず、残りの窓４のなかから開く窓４を決定する。
【００５１】
（実施例３）符号１１に示す農業用ハウス１が本例で制御対象とする農業用ハウス１である。
【００５２】
風向が東（風上が東）、風速が２．０ｍ／ｓ、ハウス内温度が３０℃、ハウス内湿度（相対湿度）が７０％、外気温度が２５℃、外気湿度（相対湿度）が５０％、のとき、第１窓４１および第２窓４２を開くように通気制御を行うものである。
【００５３】
すなわち、東風が吹いている場合、第１窓４２、第３窓４４および第５窓４５が流出口として機能しやすく、第２窓４２、第４窓４４が流入口としての機能を発揮しやすい。特に、第２窓４２よりも第４窓４４が流入口としての機能を発揮しやすい。しかし、第４窓４４は別の農業用ハウス１に近接する側の壁３に設けられているため、第４窓４４ではなく、別の農業用ハウス１に近接する側の壁３に設けられていない第２窓４２が開かれる。
【００５４】
このように、第三実施形態では、別の農業用ハウス１に近接する側の壁３に設けられる窓４を開かず、残りの窓４のなかから開く窓４を決定することにより、ハウス２内の通気量が確保されやすくなる。
【００５５】
なお、第一実施形態ないし第三実施形態においては、農業用ハウス１は、主に農業のために用いられるが、畜産、居住、その他でもよく、用途は特に限定されない。
【００５６】
また、ハウス２は、平面視において厳密な矩形状ではなくてもよい。すなわち、平面視において角が面取りされたり緩やかに曲がっていてもよい。ハウス２は平面視において四角形に限定されず、多角形（例えば八角形）でもよいし、辺が曲線を含んでもよい。
【００５７】
また、壁３の材料は、窯業系の材料、ガラス、ビニール、木、樹脂等、特に限定されない。壁３の形状、大きさ、厚み等も特に限定されない。
【００５８】
また、第１窓４１は、第１壁３１に設けられる、通気用の窓４を意味するもので、１つの窓４で構成されてもよいし、複数の窓４で構成されてもよい。出入口等の開口が設けられてもよい。窓４の形状、大きさ等は特に限定されない。第２窓４２〜第５窓４５についても同様である。
【００５９】
また、扉５の材料は、窯業系の材料、ガラス、ビニール、木、樹脂等、特に限定されない。扉５の形状、大きさ、厚み等も特に限定されない。また、扉５は開き戸でなくてもよく、スライドにより開閉されるものでもよく、特に限定されない。
【００６０】
また、窓開閉装置６は、モータ等からなる駆動源および歯車等からなる動力伝達機構を備えるものでなくてもよく、特に限定されない。
【００６１】
以上述べた第一実施形態ないし第三実施形態から明らかなように、第１の形態の農業用ハウス１は、平面視において矩形状をなしその各辺に位置する第１壁３１、第２壁３２、第３壁３３および第４壁３４と、天井を構成する第５壁３５と、からなる５つの壁３を有するハウス２を備える。第１壁３１、第２壁３２、第３壁３３、第４壁３４および第５壁３５にそれぞれ形成される第１窓４１、第２窓４２、第３窓４３、第４窓４４および第５窓４５からなる５つの窓４と、を備える。第１窓４１、第２窓４２、第３窓４３、第４窓４４および第５窓４５をそれぞれ開閉する第１扉５１、第２扉５２、第３扉５３、第４扉５４および第５扉５５からなる５つの扉５と、を備える。５つの扉５を駆動して５つの窓４の開閉を行う窓開閉装置６と、窓開閉装置６を制御する制御装置７と、ハウス２の周囲の風向を検知する風向検知器８１と、を備える。制御装置７は、風向検知器８１で検知された風向を基に５つの壁３のうちの隣接する２つの壁３に形成された２つの窓４を開き、残りの３つの壁３に形成された３つの窓４を閉じる通気制御が可能に構成される。
【００６２】
第１の形態によれば、ハウス２の内部に物体９０が位置していても、ハウス２の内部を気流がスムーズに流れる。これにより、ハウス２内の通気量を大きくとりやすくなり、農産物をはじめとする植物の栽培、育成を効果的に行いやすくなる。
【００６３】
第２の形態の農業用ハウス１では、第１の形態との組み合わせにより実現される。第２の形態の農業用ハウス１は、平面視において正方形状をなしその各辺に第１壁３１、第２壁３２、第３壁３３および第４壁３４が位置する。
【００６４】
第２の形態によれば、風向の方向性による偏りが小さくてすむ。
【００６５】
第３の形態の農業用ハウス１では、第１〜第２の形態のいずれか一つとの組み合わせにより実現される。第３の形態の農業用ハウス１は、制御装置７は、風向検知器８１で検知された風向を基に第５壁３５および残りの４つの壁３のうちの１つの壁３に形成された２つの窓４を開く通気制御が可能に構成される。
【００６６】
第３の形態によれば、いずれの風向の場合でも、第５窓４５が流出口として機能する窓４になりやすいため、ハウス２内の通気量が確保されやすい。
【符号の説明】
【００６７】
１    農業用ハウス
２    ハウス
３    壁
３１  第１壁
３２  第２壁
３３  第３壁
３４  第４壁
３５  第５壁
４    窓
４１  第１窓
４２  第２窓
４３  第３窓
４４  第４窓
４５  第５窓
５    扉
５１  第１扉
５２  第２扉
５３  第３扉
５４  第４扉
５５  第５扉
６    窓開閉装置
７    制御装置
８１  風向検知器
【図１】
0006497627.tif 000002
【図２】
0006497627.tif 000003
【図３】
0006497627.tif 000004
【図４】
0006497627.tif 000005
【図５】
0006497627.tif 000006
【図６】
0006497627.tif 000007
【図７】
0006497627.tif 000008